(57)【要約】  紙葉類取引装置において、紙葉類が投入される投入部と、投入部に投入された紙葉類を収納する収納部と、所定枚数の紙葉類を一時的に格納する一時保留部と、処理内容に応じて投入部と収納部間で紙葉類の搬送を制御する制御部と、を備え、一時保留部は、紙葉類取引装置に着脱可能に設けられ、制御部は、利用者による紙葉類取引の処理においては、一時保留部を投入部に投入された紙葉類が収納部に収納される前に一時的に保留する場所となるよう制御し、収納部から紙葉類を回収する処理においては、一時保留部を収納部の紙葉類の少なくとも一部を回収させる場所となるよう制御し、収納部へ紙葉類を補充する処理においては、一時保留部に予め格納されている紙葉類を収納部に搬送するよう制御する処理を行う。
2015029174.tif 000002
【特許請求の範囲】
【請求項１】
利用者による紙葉類の取引に使用される紙葉類取引装置において、
紙葉類が投入される投入部と、
前記投入部に投入された紙葉類を収納する収納部と、
所定枚数の紙葉類を一時的に格納する一時保留部と、
処理内容に応じて前記投入部と前記収納部間で前記紙葉類の搬送を制御する制御部と、を備え
前記一時保留部は、前記紙葉類取引装置に着脱可能に設けられ、
前記制御部は、前記利用者による紙葉類取引の処理においては、前記一時保留部を前記投入部に投入された紙葉類が前記収納部に収納される前に一時的に保留する場所となるよう制御し、前記収納部から前記紙葉類を回収する処理においては、前記一時保留部を前記収納部の紙葉類の少なくとも一部を回収させる場所となるよう制御し、前記収納部へ前記紙葉類を補充する処理においては、前記一時保留部に予め格納されている紙葉類を前記収納部に搬送するよう制御する処理を行う
ことを特徴とする紙葉類取引装置。
【請求項２】
前記収納部を内部に収納し施錠可能な金庫を備え、
前記一時保留部は、前記金庫の外部に設置される
ことを特徴とする請求項１に記載の紙葉類取引装置。
【請求項３】
前記収納部は、複数のカセットに区分けされ、
前記複数のカセットには、それぞれ前記紙葉類のフルまたはニアフルを検知する検知部が設けられ、
前記制御部は、前記検知部による検知に応じて、前記紙葉類を回収する処理を行う
ことを特徴とする請求項１に記載の紙葉類取引装置。
【請求項４】
前記紙葉類取引装置は、前記紙葉類を回収する処理において、前記収納部から所定枚数分の紙葉類を回収する
ことを特徴とする請求項１に記載の紙葉類取引装置。
【請求項５】
前記紙葉類取引装置は、主に顧客との取引に用いられるＡＴＭまたは主に行員が取り扱うテラー機での少なくともいずれかである
ことを特徴とする請求項1に記載の紙葉類取引装置。
【請求項６】
前記一時保留部は、前記紙葉類取引装置に着脱可能に設けられ、
前記紙葉類取引装置は、主に顧客との取引に用いられるＡＴＭ及び主に行員が取り扱うテラー機の両方に適用され、前記ＡＴＭ及び前記テラー機にそれぞれ着脱可能に設けられる前記一時保留部は、互換性がある
ことを特徴とする請求項１に記載の紙葉類取引装置。
【請求項７】
請求項６に記載の紙葉類取引装置の運用方法であって、
前記ＡＴＭ及び前記テラー機の紙葉類取引装置でいずれか一方の収納部で紙葉類がフルまたはニアフルになった場合に、前記フルまたはニアフルの前記紙葉類取引装置をフルの紙葉類取引装置とし、前記フルの紙葉類取引装置で前記紙葉類の回収処理を行い、前記回収された紙葉類が格納された一時保留部を外し、フルではない前記紙葉類取引装置に装着して、前記一時保留部に格納された紙葉類を前記フルではない紙葉類取引装置の収納部に移動させる処理を行い、
前記ＡＴＭ及び前記テラー機の紙葉類取引装置でいずれか一方の収納部で紙葉類が不足した場合に、紙葉類不足ではない前記紙葉類取引装置で前記紙葉類の回収処理を行い、前記回収された紙葉類が格納された一時保留部を外し、紙葉類不足の前記紙葉類取引装置に装着して、前記一時保留部で格納された紙葉類を前記紙葉類不足の紙葉類取引装置の収納部に補充する処理を行う
ことを特徴とする紙葉類取引装置の運用方法。
【請求項８】
利用者による紙葉類の取引に使用される紙葉類取引装置に設けられ、前記利用者から前記紙葉類取引装置に入金された紙葉類を収納部に収納する前に一時的に保留する一時保留装置において、
前記紙葉類取引装置には前記収納部を内部に保護する金庫が設けられ、前記一時保留装置は前記金庫外に設置され、かつ前記紙葉類取引装置に対して着脱可能に設けられ、
前記一時保留装置は、前記収納部で紙葉類がフルまたはニアフルになった場合に、前記収納部から搬送され回収される前記紙葉類を格納し、前記収納部で紙葉類が不足する場合には、前記収納部へ補充する紙葉類を格納する
ことを特徴とする一時保留装置。
【発明の詳細な説明】
【技術分野】
【０００１】
本発明は、紙葉類取引装置の一時保留部への制御処理に関する。
【背景技術】
【０００２】
金融機関には、紙葉類取引装置として、現金取引装置がある。現金取引装置は、顧客が自ら操作するＡＴＭ（Automatic Tellers Machine）や専ら行員が取り扱うテラー機（テラーズマシンあるいは出納機とも呼ばれる）が設けられる。テラー機は行員のテラーカウンタの下に設置され、ＡＴＭやテラー機を利用して、出金・預入金あるいは通帳印字等が行われる。【０００３】
現金取引装置の内部には、紙幣や硬貨等の現金を保管する収納庫（カセットとも呼ばれる）が、紙幣等の金種別に設けられる。現金取引装置はその一部に金庫構造を有し、金庫構造の内部にこれら収納庫が設けられ、金庫構造により収納庫が保護される。金庫の扉は当然に施錠される。自動取引装置の金庫の例として、特許文献１を示す。【０００４】
そして、より安全を強化する目的で、店舗の担当者では金庫の開錠することができず、金融機関と提携した現金の管理輸送を行う管理会社（警備会社）の担当者に限り開錠することができるよう運営される場合もある。
【先行技術文献】
【特許文献】
【０００５】
【特許文献１】特開２００５−１９６６０７号公報
【発明の概要】
【発明が解決しようとする課題】
【０００６】
現金取引装置への現金（紙幣や硬貨）の補充・回収は、管理会社の担当者が定期的に店舗に訪れて行われる。また、これ以外でも、現金取引装置内部の現金が不足した場合等には、現金取引装置から提携した管理会社に自動的に通知がされるので、その都度、管理会社から担当者が現金の補充等のため店舗に来ることになる。しかし、現金管理を管理会社にまかせている店舗では、行員が紙幣の補充等をすることができないので、担当者が到着して補充等の作業が終わるまでの間は、現金取引装置の使用ができない状態となる。現金取引装置のダウンタイムが長時間続くことは、金融機関にとっては大きな問題である。【０００７】
本願発明は、上記課題に鑑み、紙葉類（現金）取引装置の金庫の開錠をしないでも、紙葉類（紙幣）の回収あるいは補充ができる紙葉類取引装置を提供することを目的とする。
【課題を解決するための手段】
【０００８】
上記目的を達成するために、利用者による紙葉類の取引に使用される紙葉類取引装置において、紙葉類が投入される投入部と、前記投入部に投入された紙葉類を収納する収納部と、所定枚数の紙葉類を一時的に格納する一時保留部と、処理内容に応じて前記投入部と前記収納部間で前記紙葉類の搬送を制御する制御部と、を備え前記一時保留部は、前記紙葉類取引装置に着脱可能に設けられ、前記制御部は、前記利用者による紙葉類取引の処理においては、前記一時保留部を前記投入部に投入された紙葉類が前記収納部に収納される前に一時的に保留する場所となるよう制御し、前記収納部から前記紙葉類を回収する処理においては、前記一時保留部を前記収納部の紙葉類の少なくとも一部を回収させる場所となるよう制御し、前記収納部へ前記紙葉類を補充する処理においては、前記一時保留部に予め格納されている紙葉類を前記収納部に搬送するよう制御する処理を行う。
【発明の効果】
【０００９】
本発明によれば、紙葉類（現金）取引装置の金庫の開錠をしないでも、紙葉類（紙幣）の回収あるいは補充ができる紙葉類取引装置を提供することができる。
【図面の簡単な説明】
【００１０】
【図１】ＡＴＭ１００とテラー機２００が接続される全体システムを示す図である。
【図２】ＡＴＭ１００及びテラー機２００の内部の主要構成を示すブロック図である。
【図３】ＡＴＭ１００内部の図で、搬送ルートを説明するための図である。
【図４】一時保留部１４０及び、一時保留部１４０とＡＴＭ１００との接続部付近を模式的に示す図である。
【図５】ＡＴＭ１００において、投入された紙幣が一時保留部１４０に搬送されるルートを示す図である。
【図６】ＡＴＭ１００において、一時保留部１４０から収納部１５２に紙幣が搬送されるルートを示す図である。
【図７】ＡＴＭ１００において、投入された紙幣が排除されるルートを示す図である。
【図８】ＡＴＭ１００において、一時保留部１４０からリジェクト部１５４に紙幣が搬送されるルートを示す図である。
【図９】ＡＴＭ１００において、収納部１５２から投入排出部１３２まで紙幣が搬送されるルートを示す図である。
【図１０】ＡＴＭ１００において、一時保留部１４０から収納部１５２へ紙幣を補充する処理ルートを説明する図である。
【図１１】ＡＴＭ１００において、収納部１５２の紙幣を一時保留部１４０に回収する処理ルートを説明する図である。
【図１２】テラー機２００内部の図で、搬送ルートを説明するための図である。
【図１３】テラー機２００において、投入された紙幣が一時保留部１４０を経由して収納部２５２に搬送されるルートを示す図である。
【図１４】テラー機２００において、一時保留部１４０から収納部２５２へ紙幣を補充する処理ルートを説明する図である。
【図１５】テラー機２００において、収納部２５２の紙幣を一時保留部１４０に回収する処理ルートを説明する図である。
【図１６】ＡＴＭ１００に紙幣が不足した場合に、管理会社が来て紙幣を補充するまで、現金取引装置を休止する処理の手順を説明するフローチャートである。
【図１７】ＡＴＭ１００に紙幣がフル場合に、管理会社が来て紙幣を回収するまで、現金取引装置を休止する場合の処理を説明するフローチャートである。
【図１８】ＡＴＭ１００に紙幣が不足した場合に、一時保留部１４０から収納部１５２へ紙幣を補充する処理の手順を説明するフローチャートである。
【図１９】ＡＴＭ１００に紙幣がフルの場合に、収納部１５２から一時保留部１４０へ紙幣を回収する処理の手順を説明するフローチャートである。
【発明を実施するための形態】
【００１１】
以下、図面に従って本発明の実施形態を説明する。なお以下では、ＡＴＭ（Automatic Tellers Machine）とテラー機（テラーズマシンあるいは出納機とも呼ばれる）をまとめて、紙葉類取引装置、または、現金取引装置とも呼ぶ。ＡＴＭとテラー機は、いずれも、ホストコンピュータに接続されて、現金（紙葉類）の入出金、通帳への印刷あるいは振込等の各種取引を自動的に行う機能を備えている。つまり、ＡＴＭは利用者が専ら顧客であり、テラー機は利用者が専ら行員である点という点を除けば、ＡＴＭとテラー機は、実質同一である。尚、本実施例では、紙幣で説明を行うが、これに限定されるものではない。有価証券等も紙幣と同様で、紙葉類に含まれる。
【００１２】
図１は、金融機関店舗内に設置されるＡＴＭ１００とテラー機２００が接続される全体システムを示す図である。ＡＴＭ１００とテラー機２００は、ネットワーク３００を介してホストコンピュータ３１０とともに、現金の搬送や管理を行う管理会社３２０に接続される。
【００１３】
図２は、ＡＴＭ１００及びテラー機２００の内部の主要構成を示すブロック図である。ＡＴＭ１００とテラー機２００は、基本機能が共通し、内部の構成も実質同一であるので、同一のブロック図となる。ＡＴＭ１００を対象としてブロック図の説明を行うが、特にことわりのない場合には、テラー機２００も同様であるとする。ＡＴＭ１００の要素についてを１００番台の符号で示し、テラー機２００の要素についてを２００番台の符号で示す。なお、ＡＴＭ１００の説明で「顧客」と表現する場合には、テラー機２００では「行員」に相当する。
【００１４】
ＡＴＭ１００（テラー機２００、以下かっこ内はテラー機２００番台の符号）は、ＣＰＵ１１０（２１０）、メモリ１１２（２１２）、通信Ｉ／Ｆ１１４（２１４）、表示パネル１１６（２１６）、カードユニット１１８（２１８）、通帳ユニット１２０（２２０）、硬貨ユニット１２２（２２２）、紙幣ユニット１３０（２３０）を有する。
【００１５】
ＣＰＵ１１０は、プログラムを読込んでＡＴＭ１００全体を統括的に制御するものである。ＣＰＵ１１０により実行される制御機能を制御部１１０ａ（２１０ａ）として示す。
【００１６】
メモリ１１２は、一時記憶用のメモリと保存記憶用のメモリを備える。一時記憶用のメモリは、例えばＲＡＭで、データやプログラムが一時的に格納されるワーキングエリアである。保存記憶用のメモリは、フラッシュメモリやハードディスクドライブで、例えばＣＰＵ１１０に読込まれる処理プログラムや保存用データが記憶される。また、保存記憶用のメモリには、ＡＴＭ１００内部に収納される各金種の紙幣の枚数が紙幣枚数データとして記憶される。
【００１７】
通信Ｉ／Ｆ１１４は、ネットワーク３００を介して、ＡＴＭ１００とホストコンピュータ３１０や管理会社３２０等と各種データの通信を行う。ホストコンピュータ３１０は、銀行ホストセンタに設置される。顧客の入力に応じた出金依頼電文等がＡＴＭ１００からホストコンピュータ３１０に送信され、対応してホストコンピュータ３１０から出金許可電文等がＡＴＭ１００に送信される。また、ＡＴＭ１００の作動状況や内部に収納される硬貨や紙幣の数量や状態が管理会社３２０のコンピュータに送信される。
【００１８】
表示パネル１１６は、表示部や操作部を有する。表示部は、例えばＬＣＤであって、制御部１１０ａの指示に基づき、顧客への操作ガイダンス、取引メニューや入力用のテンキー等を表示する。操作部は、表示部に一体的に設けられるタッチパネルであって、顧客からの入力を検出する。操作部は、検出した入力データを制御部１１０aに通知する。操作部は、タッチパネルではなく、キーボードであってもよい。
【００１９】
カードユニット１１８は、顧客によりＡＴＭ１００に挿入された銀行カードを内部に搬送して、磁気ストライプ等への情報の書込みや読取りを行い、処理後に外部へ排出して、返却する。銀行カードがＩＣカードの場合には、ＩＣチップに対して読取り書込みを行う。
【００２０】
通帳ユニット１２０は、顧客によりＡＴＭ１００に挿入された銀行通帳を内部に搬送して、通帳の表紙に貼付された磁気ストライプ等への情報の書込みや読取りを行い、処理後に外部へ排出して、返却する。また、通帳ユニット１２０は、通帳へ取引の来歴情報を印字する。
【００２１】
硬貨ユニット１２２は、硬貨を収納する硬貨カセット（不図示）を備え、取引の支払指示に応じて硬貨カセットから所定枚数の硬貨を取出して、硬貨排出口（不図示）に排出する。
【００２２】
紙幣ユニット１３０は、収納部から所定枚数の紙幣を取出し排出したり、入金された紙幣を収納部に収納するものである。紙幣ユニット１３０は、投入排出部１３２（２３２）、一時保留部１４０、鑑別部１５０（２５０）、収納部１５２（２５２）、リジェクト部１５４（２５４）及び搬送部１６０（２６０）を有する。一時保留部１４０は、ＡＴＭ１００とテラー機２００で同一であるので、同一符号で示す。詳細は後述する。
【００２３】
投入排出部１３２は、顧客が紙幣を投入する投入口であり、かつ顧客に内部から搬送された紙幣を渡すための排出口である。投入排出部１３２は、紙幣の投入や排出時以外には扉で保護される。また、投入排出部１３２には紙幣の有無を検出する紙幣検出センサ（不図示）が設けられ、検出結果が制御部１１０ａに通知される。
【００２４】
一時保留部１４０は、顧客から投入排出部１３２へ投入された紙幣を一時的に保管する場所である。エスクロとも呼ばれる。紙幣投入直後に表示パネル１１６にカウントされた投入金額が表示され、この表示金額に対して顧客からの承認指示があるまでは、顧客の投入した紙幣を保管しておく必要があるからである。顧客とのトラブル防止のためである。一時保留部１４０は、紙幣を例えば２００枚程度まとめて格納することができる。
【００２５】
また、一時保留部１４０はＡＴＭ１００に着脱可能に取付けられ、さらに、ＡＴＭ１００とテラー機２００のいずれにも着脱可能である。これについては、図３、図１２等で詳述する。一時保留部１４０の内部については、図４で詳述する。
【００２６】
更に、一時保留部１４０は、紙幣格納機能を利用して、収納部１５２で紙幣がフル（一杯）またはフル直前（ニアフル）になった場合に、収納部１５２から搬送され回収される紙幣を格納したり(紙幣回収処理)、収納部１５２で紙幣が不足する場合に、収納部１５２へ補充する紙幣を格納する(紙幣補充処理)ことにも利用される。
【００２７】
鑑別部１５０は、紙幣の真偽や紙幣のリサイクル（再利用）の可否を鑑別するものである。投入排出部１３２から投入された紙幣は、一時保留部１４０に入る前に鑑別部１５０により鑑別される。鑑別部１５０の鑑別結果は、制御部１１０ａに通知される。出金時には、収納部１５２から顧客に排出される紙幣も鑑別部１５０で鑑別されてから排出される。破損等した紙幣は、鑑別部１５０でリサイクル不可と鑑別され、リジェクト部１５４に搬送される。
【００２８】
収納部１５２は、投入された紙幣や排出（出金）するための紙幣を種類別に格納しておくものである。収納部１５２は、紙幣の種類別に分けられた複数の紙幣カセットからなる。収納部１５２の各紙幣カセットには、紙幣のフル（満載）を検出するフル検出センサ(不図示)やフル直前を検出するニアフル検出センサ(不図示)が設けられる。また、収納部１５２に収納されている紙幣の種類別の枚数は、制御部１１０ａによってメモリ１１２の紙幣枚数データとして管理される。
【００２９】
リジェクト部１５４は、リサイクル（再使用）のできない破損した紙幣を格納するものである。リジェクト部１５４は、金種別にリジェクトカセットを有し、鑑別部１５０によりリサイクル（再使用）のできないと判断された紙幣が格納される。
【００３０】
搬送部１６０は、投入排出部１３２と収納部１５２やリジェクト部１５４等の間で、処理内容に応じたルートで紙幣を搬送するものである。搬送部１６０は、紙幣を搬送するための搬送路、紙幣を挟んで搬送する駆動ローラや駆動ローラを回転させる駆動モータ等を有する。顧客操作の内容や鑑別部１５０の鑑別結果に応じて、搬送路の選択や駆動モータの回転が制御部１１０ａにより制御される。また、搬送路の各所には紙幣の通過を検出して、制御部１１０ａに通知するセンサ（不図示）も設けられる。
【００３１】
管理会社３２０は、現金取引装置（ＡＴＭ１００やテラー機２００）で紙幣が不足ないしはカセットがフルにならないように定期的に担当者を店舗に派遣する。さらに、ＡＴＭ１００やテラー機２００は紙幣の不足ないしはフルの発生が検出されると、制御部１１０ａにより必要な情報が通信Ｉ／Ｆ１１４を通じて送信される。送信された情報は、ネットワーク３００を介して管理会社３２０に通知される。
【００３２】
管理会社３２０は、ＡＴＭ１００やテラー機２００から紙幣の不足等の通知を受けた場合にも、現場に担当者を派遣する。担当者は、現金取引装置の後述する金庫部を開けて、収納部１５２に紙幣の補充や紙幣の回収を行う。
【００３３】
〔ＡＴＭ１００における紙幣の搬送ルート〕
図３は、ＡＴＭ１００内部の図で、搬送ルートの全体を説明するための図である。図４から図９は、ＡＴＭ１００で利用者(顧客)による取引中での、紙幣の搬送ルートを説明するための図である。
【００３４】
図３で向かって右側が顧客が操作する側になる。ＡＴＭ１００の上部の右側面に投入排出部１３２が設けられ、左側に一時保留部１４０が設けられる。一時保留部１４０は、ＡＴＭ１００に着脱できるように、ＡＴＭ１００にネジ、ロックレバーあるいはラッチ等で固定される。ＡＴＭ１００の中央に鑑別部１５０が設けられる。図３の左上の一時保留部１４０ａは、外された状態を示す。
【００３５】
ＡＴＭ１００の下部に収納部１５２が設けられる。収納部１５２では、金種別に４つの縦長の紙幣カセット（１５２ａ、１５２ｂ、１５２ｃ、１５２ｄ）が、右から並列に配置される。収納部１５２の各紙幣カセットには、紙幣４００が積載される。ＡＴＭ１００の下部の左側にリジェクト部１５４が設けられる。リジェクト部１５４では、４つのリジェクトカセット（１５４ａ、１５４ｂ、１５４ｃ、１５４ｄ）が上から順に配置される。
【００３６】
ＡＴＭ１００の下段に金庫部１７０が設けられる。収納部１５２とリジェクト部１５４は、金庫部１７０の内部に設けられる。金庫部１７０は、鍵付の扉(不図示)により施錠され、内部の収納部１５２とリジェクト部１５４を保護する。つまり、金庫部１７０の鍵を持った者しか、収納部１５２へ直接紙幣を供給することや収納部１５２から直接紙幣を回収することはできない。対して、一時保留部１４０は金庫部１７０外に設置されているので、金庫部１７０の鍵を持ってなくとも着脱することができる。
【００３７】
搬送ルートの全体を説明する。投入排出部１３２に投入された紙幣を内部に搬送するように、斜め左下に降る搬送路Ｐ１、続いて左に進む搬送路Ｐ２が設けられる。鑑別部１５０を通過しながら左に進む搬送路Ｐ３が設けられ、搬送路Ｐ３の先端で２つに分かれ、右斜め上に進む搬送路Ｐ４と、そのまま左に進む搬送路Ｐ１０が設けられる。搬送路Ｐ４の先端で２つに分かれ、真上に進む搬送路Ｐ５と、斜め右上に進む搬送路Ｐ１４が設けられる。
【００３８】
搬送路Ｐ５の先端で２つに分かれ、左右に進む搬送路Ｐ６と右に進む搬送路Ｐ７が設けられる。搬送路Ｐ６を左に進むと一時保留部１４０に入る。搬送路Ｐ７に連続するように、右に進む搬送路Ｐ８が設けられる。搬送路Ｐ８の先端で２つに分かれ、右斜め下に進む搬送路Ｐ９と右斜め上に進む搬送路Ｐ１５が設けられる。
【００３９】
左に進む搬送路Ｐ１０は、金庫部１７０に入って２つに分かれ、右に進む搬送路Ｐ１１と真下に向かう搬送路Ｐ１６が設けられる。搬送路Ｐ１１は、収納部１５２の各紙幣カセットの上部を通過して右側まで設けられる。
【００４０】
搬送路Ｐ１１の途中から下に進むように、紙幣カセット１５２ｄに対応する搬送路Ｐ１２ｄが設けられる。同様に、搬送路Ｐ１１の途中に、紙幣カセット１５２ｃに対応する搬送路Ｐ１２ｃ、紙幣カセット１５２ｂに対応する搬送路Ｐ１２ｂ、紙幣カセット１５２ａに対応する搬送路Ｐ１２ａが、それぞれ設けられる。
【００４１】
搬送路Ｐ１１の先端に、真上に進んでから左に曲がる搬送路Ｐ１３が設けられる。搬送路Ｐ１３で金庫部１７０から外に出る。搬送路Ｐ１３の先端が搬送路Ｐ２の後端に連結する。
【００４２】
下に向かう搬送路Ｐ１６は、リジェクト部１５４の４つのリジェクトカセットの右側に沿って設けられる。搬送路Ｐ１６から、リジェクトカセット１５４ａに対応する搬送路Ｐ１７ａが設けられる。同様に、搬送路Ｐ１６から、リジェクトカセット１５４ｂに対応する搬送路Ｐ１２ｂ、リジェクトカセット１５４ｃに対応する搬送路Ｐ１７ｃ、リジェクトカセット１５４ｄに対応する搬送路Ｐ１７ｄが、それぞれ設けられる。
【００４３】
図４は、一時保留部１４０及び、一時保留部１４０とＡＴＭ１００との接続部付近の、搬送構造を模式的に示す図である。ＡＴＭ１００の搬送路Ｐ６には、紙幣を搬送するローラ１６２や、紙幣の通過を検出するセンサ１６３が適宜配置される。
【００４４】
一時保留部１４０は、センサ１４１、ローラ１４２ａ、巻取りフィルムローラ１４２ｂ、紙幣巻取ローラ１４３及びフィルム１４４を有する。センサ１４１は紙幣の通過を検出するものである。フィルム１４４は、紙幣を間に挟んで巻き取るものである。フィルム１４４の両端が巻取りフィルムローラ１４２ｂに取付けられる。ローラ１６２から搬送されてきた紙幣が、２枚のフィルム１４４の間に挟まれて、紙幣巻取ローラ１４３に巻き取られる。
【００４５】
また、一時保留部１４０は、巻取りフィルムローラ１４２ｂ等を駆動するための駆動回路１４５、一時保留部１４０に格納される紙幣の枚数を記憶するための保留部メモリ１４６を有する。制御部１１０ａから保留部メモリ１４６に一時保留部１４０に格納される紙幣の枚数が記録される。一時保留部１４０に格納される紙幣の枚数を記憶しておくことによって、例えばＡＴＭ１００からテラー機２００に付け替えられた場合に、テラー機２００側で保留部メモリ１４６の枚数データを読むことで、一時保留部１４０に格納された紙幣枚数を直ちに把握することができる。また、複数の一時保留部１４０にＩＤ番号を割り当ておいて、保留部メモリ１４６に、対応する一時保留部１４０のＩＤ番号を記憶させておいてもよい。
【００４６】
また、一時保留部１４０のセンサ１４１、駆動回路１４５及び保留部メモリ１４６が、例えばコネクタ（不図示）を介して、ＡＴＭ１００本体部の制御部１１０ａ等と電気的に接続される。一時保留部１４０の着脱は制御部１１０ａにより検出され、一時保留部１４０に格納されている紙幣の枚数が制御部１１０ａにより管理される。また、一時保留部１４０にＩＤ番号が付されている場合には、制御部１１０ａは、装着されている一時保留部１４０について、そのＩＤ番号と装着日時を記憶して管理する。
【００４７】
図５は、ＡＴＭ１００において、投入された紙幣が一時保留部１４０に搬送されるルートを示す図である。投入排出部１３２に顧客により投入された紙幣は、搬送路Ｐ１→搬送路Ｐ２→搬送路Ｐ３で鑑別部１５０に入る。鑑別部１５０での鑑別結果で許可された紙幣は、搬送路Ｐ３→搬送路Ｐ４→搬送路Ｐ５→搬送路Ｐ６で、一時保留部１４０に格納される。一時保留部１４０に格納された状態で、制御部１１０ａにより入金金額が表示パネル１１６に表示され、顧客の承認操作を待つ。
【００４８】
図６は、ＡＴＭ１００において、一時保留部１４０から収納部１５２に紙幣が搬送されるルートを示す図である。顧客からの承認操作を検出すると制御部１１０ａは、一時保留部１４０に格納された紙幣を収納部１５２に搬送する。
【００４９】
紙幣は、一時保留部１４０から搬送路Ｐ６→搬送路Ｐ７→搬送路Ｐ８→搬送路Ｐ９→搬送路Ｐ３→搬送路Ｐ１０→搬送路Ｐ１１に搬送され、金種に応じた搬送路（搬送路Ｐ１２ａ、搬送路Ｐ１２ｂ、搬送路Ｐ１２ｃ又は搬送路Ｐ１２ｄ）で、収納部１５２の紙幣カセット（１５２ａ、１５２ｂ、１５２ｃ又は１５２ｄ）のいずれかに収納される。
【００５０】
図７は、ＡＴＭ１００において、投入された紙幣が排除されるルートを示す図である。投入された紙幣が正規の紙幣でない場合（例えば外国の紙幣等）には、顧客に返却される。投入排出部１３２に顧客により投入された紙幣は、搬送路Ｐ１→搬送路Ｐ２→搬送路Ｐ３で鑑別部１５０に入る。鑑別部１５０での鑑別結果で正規の紙幣でないという鑑別結果が制御部１１０ａに通知されると、制御部１１０ａにより、紙幣は、一時保留部１４０に格納されずに、搬送路Ｐ３→搬送路Ｐ４→搬送路Ｐ１４→搬送路Ｐ８→搬送路Ｐ１５で、投入排出部１３２に戻される。
【００５１】
図８は、ＡＴＭ１００において、一時保留部１４０からリジェクト部１５４に紙幣が搬送されるルートを示す図である。鑑別部１５０で、リサイクル（再利用）に不適であると鑑別された紙幣はリジェクト部１５４に格納される。紙幣は、一時保留部１４０から搬送路Ｐ６→搬送路Ｐ７→搬送路Ｐ８→搬送路Ｐ９→搬送路Ｐ３で、鑑別部１５０に入る。
【００５２】
鑑別部１５０での鑑別結果でリサイクル不適という鑑別結果が制御部１１０ａに通知されると、制御部１１０ａにより、紙幣は、搬送路Ｐ１０→搬送路Ｐ１６に搬送され、金種に応じたいずれかの搬送路（搬送路Ｐ１７ａ、搬送路Ｐ１７ｂ、搬送路Ｐ１７ｃまたは搬送路Ｐ１７ｄ）で、リジェクト部１５４の４つのリジェクトカセットのいずれかに格納される。
【００５３】
図９は、ＡＴＭ１００において、収納部１５２から投入排出部１３２まで紙幣が搬送されるルートを示す図である。例えば、顧客の出金操作によって紙幣が排出される場合である。収納部１５２の紙幣カセット（１５２ａ、１５２ｂ、１５２ｃ又は１５２ｄ）から、金種に応じた搬送路（搬送路Ｐ１２ａ、搬送路Ｐ１２ｂ、搬送路Ｐ１２ｃ又は搬送路Ｐ１２ｄ）で、紙幣が取り出される。紙幣は、搬送路Ｐ１１→搬送路Ｐ１３→搬送路Ｐ２→搬送路Ｐ３→搬送路Ｐ４に搬送される。搬送路Ｐ４から、紙幣をいったん一時保留部１４０に格納する場合には、搬送路Ｐ５→搬送路Ｐ６に進む。一時保留部１４０に搬送された紙幣は、搬送路Ｐ６→搬送路Ｐ７→搬送路Ｐ８→搬送路Ｐ１５を進んで投入排出部１３２まで搬送される。また、搬送路Ｐ４から、紙幣を直接投入排出部１３２まで搬送する場合には、搬送路Ｐ１４→搬送路Ｐ８→搬送路Ｐ１５を進んで投入排出部１３２まで搬送される。
【００５４】
図１０は、ＡＴＭ１００において、一時保留部１４０から収納部１５２へ紙幣を補充する処理ルートを説明する図である。一時保留部１４０から収納部１５２へ紙幣を補充処理することによって、収納部１５２でいずれかの金種の紙幣が不足した場合に、金庫部１７０の扉を開錠しなくても、収納部１５２へ紙幣を補充することができる。なお、ここでは、紙幣カセット１５２ｂで紙幣が不足したとする。
【００５５】
まず、行員が空の一時保留部１４０を例えばテラー機２００に取付けて、テラー機２００から紙幣を空の一時保留部１４０に所定枚数分移動させる。所定枚数分の紙幣４０１が格納された後、テラー機２００の一時保留部１４０をテラー機２００より、取り外す。そして、取り外した一時保留部１４０をＡＴＭ１００に装着する。
【００５６】
その後、行員からの指示を受けて、制御部１１０ａは補充処理を開始する。制御部１１０ａにより、一時保留部１４０に予め格納された紙幣４０１が、収納部１５２の対応する金種の紙幣カセットまで搬送される。具体的には、紙幣は、搬送路Ｐ６→搬送路Ｐ７→搬送路Ｐ８→搬送路Ｐ９→搬送路Ｐ３→搬送路Ｐ１０→搬送路Ｐ１１→搬送路Ｐ１２ｂを進み、紙幣が紙幣カセット１５２ｂに補充される。
【００５７】
これにより、収納部１５２の紙幣カセット１５２ｂに所定枚数分の紙幣４０２が補充される。なお、所定枚数分は、一時保留部１４０のサイズにより異なるが、例えば２００枚である。
【００５８】
図１１は、ＡＴＭ１００において、収納部１５２の紙幣を一時保留部１４０に回収する処理ルートを説明する図である。収納部１５２のいずれかの金種の紙幣カセットが、フルあるいはニアフル（フル直前）になった場合には、一時保留部１４０で収納部１５２の紙幣の一部を回収する処理を行う。これにより、金庫部１７０の扉を開錠しなくても、収納部１５２の紙幣の一部を回収することができる。
【００５９】
ここでは、紙幣カセット１５２ｂでフルになり、フル検出センサにより制御部１１０ａに通知されたとする。制御部１１０ａにより、紙幣カセット１５２ｂに収納された紙幣４００の一部の紙幣４０３が、一時保留部１４０まで搬送される。具体的には、紙幣４０３は、搬送路Ｐ１２ｂ→搬送路Ｐ１１→搬送路Ｐ１３→搬送路Ｐ２→搬送路Ｐ３→搬送路Ｐ４→搬送路Ｐ５→搬送路Ｐ６を進み、一時保留部１４０に格納される。
【００６０】
これにより、一時保留部１４０に所定枚数分の紙幣４０４が回収されて、収納部１５２の紙幣カセット１５２ｂに紙幣４０３分のスペースが生まれる。ここで、所定枚数分は、一時保留部１４０のサイズにより異なるが、例えば２００枚である。また、回収後にＡＴＭ１００の運用を再開する時には、回収した紙幣４０４が入った一時保留部１４０と空の一時保留部１４０を行員が交換しても良いし、回収した紙幣４０４が入った一時保留部１４０をテラー機２００に取付けて、紙幣４０４をテラー機２００に移してもよい。また、回収処理は、行員の指示を受けてから、テラー機２００の制御部２１０ａが開始するようにしてもよい。
【００６１】
〔テラー機２００における紙幣の搬送ルート〕
図１２は、テラー機２００内部の図で、搬送ルートを説明するための図である。図１２で向かって右側が行員の操作側になる。テラー機２００の上部の右側面に投入排出部２３２が設けられ、反対側に一時保留部１４０が設けられる。一時保留部１４０は、ＡＴＭ１００と同様にテラー機２００にも着脱できるように、テラー機２００にネジ、ロックレバーあるいはラッチ等で固定される。一時保留部１４０ａは、外された状態を示す。テラー機２００の中央に鑑別部２５０が設けられる。
【００６２】
テラー機２００の下段に収納部２５２が設けられる。収納部２５２では、金種別に７つの縦長の紙幣カセット（２５２ａ、２５２ｂ、２５２ｃ、２５２ｄ、２５２ｅ、２５２ｆ及び２５２ｇ）が、右から並列に配置される。収納部２５２の各紙幣カセットには、紙幣４００が縦方向に積載される。テラー機２００の下部の左側にリジェクト部２５４が設けられる。リジェクト部２５４も、４つのリジェクトカセット（２５４ａ、２５４ｂ、２５４ｃ及び２５４ｄ）が上から順に配置される。
【００６３】
テラー機２００の下段に金庫部２７０が設けられる。収納部２５２とリジェクト部２５４は、金庫部２７０の内部に配置される。金庫部２７０は、鍵付の扉(不図示)により施錠され、内部の収納部２５２とリジェクト部２５４を保護する。つまり、金庫部２７０の鍵を持った者しか、収納部２５２へ直接紙幣を供給することや収納部２５２から直接紙幣を回収することはできない。対して、一時保留部１４０は金庫部２７０外に設置されているので、金庫部２７０の鍵を持ってなくとも着脱することができる。また、テラー機２００の底部には、キャスタ２７２が設けられる。
【００６４】
搬送ルートの全体を説明する。投入排出部２３２に投入された紙幣を内部に搬送するように、斜め左下に降る搬送路Ｑ１、続いて左に進む搬送路Ｑ２が設けられる。鑑別部２５０を通過しながら左に進む搬送路Ｑ３が設けられ、搬送路Ｑ３の先端で２つに分かれ、右斜め上に進む搬送路Ｑ４と、そのまま左に進む搬送路Ｑ１０が設けられる。搬送路Ｑ４の先端で２つに分かれ、真上に進む搬送路Ｑ５と、斜め右上に進む搬送路Ｑ１４が設けられる。
【００６５】
搬送路Ｑ５の先端で２つに分かれ、左右に進む搬送路Ｑ６と右に進む搬送路Ｑ７が設けられる。搬送路Ｑ６を左に進むと一時保留部１４０に入る。搬送路Ｑ７に連続するように、右に進む搬送路Ｑ８が設けられる。搬送路Ｑ８の先端で２つに分かれ、右斜め下に進む搬送路Ｑ９と右斜め上に進む搬送路Ｑ１５が設けられる。
【００６６】
左に進む搬送路Ｑ１０は、金庫部２７０に入って２つに分かれ、右に進む搬送路Ｑ１１と真下に向かう搬送路Ｑ１６が設けられる。搬送路Ｑ１１は、収納部２５２の各紙幣カセットの上部を通過して右側まで設けられる。
【００６７】
搬送路Ｑ１１の途中から下に進むように、紙幣カセット２５２ｇに対応する搬送路Ｑ１２ｇが設けられる。同様に、搬送路Ｑ１の途中に、紙幣カセット２５２ｆに対応する搬送路Ｑ１２ｆ、紙幣カセット２５２ｅに対応する搬送路Ｑ１２ｅ、紙幣カセット２５２ｄに対応する搬送路Ｑ１２ｄ、紙幣カセット２５２ｃに対応する搬送路Ｑ１２ｃ、紙幣カセット２５２ｂに対応する搬送路Ｑ１２ｂ、紙幣カセット２５２ａに対応する搬送路Ｑ１２ａがそれぞれ設けられる。
【００６８】
搬送路Ｑ１１の先端に、真上に進んでから左に曲がる搬送路Ｑ１３が設けられる。搬送路Ｑ１３で金庫部２７０から外に出る。搬送路Ｑ１３の先端が搬送路Ｑ２の後端に連結する。
【００６９】
下に向かう搬送路Ｑ１６は、リジェクト部２５４の４つのリジェクトカセットの左側に沿って設けられる。搬送路Ｑ１６の途中から右に進むように、リジェクトカセット２５４ａに対応する搬送路Ｑ１７ａが設けられる。同様に、搬送路Ｑ１６の途中に、リジェクトカセット２５４ｂに対応する搬送路Ｑ１７ｂ、リジェクトカセット２５４ｃに対応する搬送路Ｑ１７ｃ、リジェクトカセット２５４ｄに対応する搬送路Ｑ１７ｄが、それぞれ設けられる。
【００７０】
図１３は、テラー機２００の通常の取引において、投入された紙幣が一時保留部１４０を経由して収納部２５２に搬送されるルートを示す図である。
【００７１】
投入排出部２３２に顧客により投入された紙幣は、搬送路Ｑ１→搬送路Ｑ２→搬送路Ｑ３で鑑別部２５０に入る。鑑別部２５０での鑑別結果で許可された紙幣は、搬送路Ｑ３→搬送路Ｑ４→搬送路Ｑ５→搬送路Ｑ６で、一時保留部１４０に格納される。
【００７２】
一時保留部１４０に格納された紙幣は、一時保留部１４０から搬送路Ｑ６→搬送路Ｑ７→搬送路Ｑ８→搬送路Ｑ９→搬送路Ｑ３→搬送路Ｑ１０→搬送路Ｑ１１に搬送され、金種に応じた搬送路（搬送路Ｑ１２ａ〜搬送路Ｑ１２ｇ）が選択されて、収納部２５２のいずれかの紙幣カセット（２５２ａ〜２５２ｇ）に収納される。
【００７３】
図１４は、テラー機２００において、一時保留部１４０から収納部２５２へ紙幣を補充する処理ルートを説明する図である。一時保留部１４０から収納部２５２へ紙幣を補充処理することによって、収納部２５２でいずれかの金種の紙幣が不足した場合に、金庫部２７０の扉を開錠しなくても、収納部２５２へ紙幣を補充することができる。図１０で説明したＡＴＭ１００での補充処理と同等な処理である。
【００７４】
収納部２５２の紙幣カセット２５２ａの金種で紙幣が不足であるとする。一時保留部１４０に予め格納された所定枚数分の紙幣４０５が、制御部２１０ａによって、収納部２５２の紙幣カセット２５２ａまで搬送される。具体的には、紙幣は、搬送路Ｑ６→搬送路Ｑ７→搬送路Ｑ８→搬送路Ｑ９→搬送路Ｑ３→搬送路Ｑ１０→搬送路Ｑ１１→搬送路Ｑ１２ａを進み、収納部２５２の紙幣カセット２５２ａに補充される。
【００７５】
これにより、収納部２５２の紙幣カセット２５２ａに所定枚数分の紙幣４０６が補充される。ここで、所定枚数分は、一時保留部１４０のサイズにより異なるが、例えば２００枚である。一時保留部１４０へ予め紙幣の格納する必要があるが、図１０での説明と同じであるので、省略する。制御部２１０ａは、行員からの指示を受けて、補充処理を行う。
【００７６】
図１５は、テラー機２００において、収納部２５２の紙幣を一時保留部１４０に回収する処理ルートを説明する図である。収納部２５２のいずれかの金種の紙幣カセットが、フルあるいはニアフル（フル直前）になった場合には、一時保留部１４０で収納部２５２の紙幣の一部を回収する処理を行う。これにより、金庫部１７０の扉を開錠しなくても、収納部２５２の紙幣４００の一部を回収することができる。図１１で説明したＡＴＭ１００での回収処理と同等な処理である。
【００７７】
紙幣カセット２５２ｃでフルになり、フル検出センサにより制御部２１０ａに通知されたとする。制御部２１０ａにより、収納部２５２の紙幣カセット２５２ｃに収納された紙幣４００の一部である紙幣４０７が、一時保留部１４０まで搬送される。具体的には、紙幣４０７は、搬送路Ｑ１２ｃ→搬送路Ｑ１１→搬送路Ｑ１３→搬送路Ｑ２→搬送路Ｑ３→搬送路Ｑ４→搬送路Ｑ５→搬送路Ｑ６を進み、一時保留部１４０に格納される。
【００７８】
これにより、一時保留部１４０に所定枚数分の紙幣４０８が回収されて、収納部２５２の紙幣カセット２５２ｃに紙幣４０７分のスペースが生まれる。所定枚数分は、一時保留部１４０のサイズにより異なるが、例えば２００枚である。
【００７９】
そして、回収後に一時保留部１４０を空にする必要があるが。空にする方法は、図１１での説明と同じであるので、省略する。また、回収処理は、行員の指示を受けてから、制御部２１０ａが開始するようにしてもよい。
【００８０】
〔現金取引装置における紙幣の回収及び補充処理〕
次に、図１６〜図１９を用いて、現金取引装置（ＡＴＭ１００及びテラー機２００）の紙幣の回収及び補充処理の手順につき、従来の運用と本実施形態による処理を対比して説明する。
【００８１】
なお、前述したようにＡＴＭ１００及びテラー機２００での紙幣の取引処理は、実質同一であるので、重複説明を避けるために説明はＡＴＭ１００についてのみ行うが、テラー機２００でも同様である。なお以下の処理は、ＡＴＭ１００においては主に制御部１１０ａにより行われ、テラー機２００においては主に制御部２１０ａにより行われる。
【００８２】
図１６は、ＡＴＭ１００に紙幣が不足した場合に、管理会社が来て紙幣を補充するまで、現金取引装置を休止する処理の手順を説明するフローチャートである。従来の運用である。
【００８３】
引出金額が入力されたかを判断する（ステップＳ１０）。ＡＴＭ１００では顧客により、テラー機２００では行員により引出金額が入力される。引出金額が入力されるまで（ステップＳ１０ＮＯ）、ステップＳ１０を繰り返す。引出金額が入力されたと判断すると（ステップＳ１０ＹＥＳ）、引き出し金額の紙幣があるかをチェックする（ステップＳ１２）。メモリ１１２に記憶されている紙幣枚数データに基づき、対応する紙幣が収納部１５２にあるかをチェックする。
【００８４】
そして、引き出し可能であるかを判断する（ステップＳ１４）。対応する紙幣が収納部１５２に有り、引き出し可能であると判断すると（ステップＳ１４ＹＥＳ）、引き出し処理を続行する（ステップＳ１６）。
【００８５】
対応する紙幣が収納部１５２にない場合には、引き出し可能でないと判断し（ステップＳ１４ＮＯ）、不足紙幣の情報をメモリ１１２に保存し（ステップＳ１８）、紙幣不足である旨の情報を管理会社３２０に通知する（ステップＳ２０）。そして、ＡＴＭ１００を休止する処理を行う（ステップＳ２２）。休止処理として、例えば、表示パネル１１６に「現在、取扱いできません」等のメッセージを表示して、顧客からの操作を受け付けないモードにＡＴＭ１００を移行させる。その後、通知を受けた管理会社から担当者が店舗に派遣され、収納部１５２に紙幣が補充された後に、ＡＴＭ１００での取引を再開することができる。
【００８６】
図１７は、ＡＴＭ１００に紙幣がフルの場合に、管理会社が来て紙幣を回収するまで、現金取引装置を休止する場合の処理を説明するフローチャートである。従来の運用である。
【００８７】
顧客により紙幣が預入されたかを判断する（ステップＳ３０）。投入排出部１３２に設けられたセンサの出力により、紙幣の預入を判断する。紙幣が預入されたと判断するまで（ステップＳ３０ＮＯ）、ステップＳ３０を繰り返す。紙幣が預入されたと判断すると（ステップＳ３０ＹＥＳ）、預入された紙幣の種類及び枚数をチェックする（ステップＳ３２）。預入された紙幣は鑑別部１５０で紙幣の種類及び枚数がチェックされる。
【００８８】
預入された紙幣が収納部１５２に収納可能かを判断する（ステップＳ３４）。収納可能であるかは、メモリ１１２に記憶されている現在の各紙幣カセットに格納されている紙幣枚数データや対応する紙幣カセットに設けられたフル／ニアフル検出センサに基づき、判断する。
【００８９】
預入された紙幣が収納部１５２に収納可能と判断すると（ステップＳ３４ＹＥＳ）、預入処理を続行し（ステップＳ３６）、預入された紙幣は収納部１５２の対応する紙幣カセットに収納される。
【００９０】
預入された紙幣が収納部１５２に格納可能でないと判断すると（ステップＳ３４ＮＯ）、つまり、収納部１５２の対応する紙幣カセットが満タン（フル）であると判断すると、フル／ニアフルの情報をメモリ１１２に保存し（ステップＳ３８）、フル／ニアフルの情報を管理会社３２０に通知する（ステップＳ４０）。そして、ＡＴＭ１００を休止処理する（ステップＳ４２）。休止処理は、図１６のステップＳ２２と同様であるので、説明は省略する。その後、通知を受けた管理会社から担当者が店舗に派遣され、収納部１５２から紙幣が回収された後に、ＡＴＭ１００での取引を再開することができる。
【００９１】
図１８は、ＡＴＭ１００に紙幣が不足した場合に、一時保留部１４０から収納部１５２へ紙幣を補充する処理の手順を説明するフローチャートである。図１０及び図１４で説明した処理で、金庫部１７０の扉を開錠しなくても、収納部１５２へ紙幣を補充することができる。
【００９２】
紙幣を充填した別の一時保留部を用意する（ステップＳ５０）。収納部１５２の紙幣が不足していることが検出された場合には、行員が、紙幣を充填した別の一時保留部を用意する。充填方法は、図１０で説明した通りである。
【００９３】
そして、紙幣が充填された一時保留部１４０を行員が交換する（ステップＳ５２）。一時保留部１４０が、ＡＴＭ１００に装着されたかを判断する（ステップＳ５４）。ＣＰＵ１１０が一時保留部１４０と正常に通信できるかで、ＡＴＭ１００に一時保留部１４０が装着されたかを判断する。一時保留部１４０が、正常にＡＴＭ１００に装着されていないと判断すると（ステップＳ５４ＮＯ）、警告等を表示して正常にＡＴＭ１００に装着されるまで、ステップＳ５４を繰り返す。
【００９４】
一時保留部１４０がＡＴＭ１００に装着されたと判断すると（ステップＳ５４ＹＥＳ）、一時保留部１４０内に紙幣が所定枚数以上あるかを判断する（ステップＳ５６）。紙幣が所定枚数以上あるかは、保留部メモリ１４６に記憶された紙幣枚数データにより判断する。一時保留部１４０内に紙幣が所定枚数以上はないと判断すると（ステップＳ５６ＮＯ）、補充処理を中止して終了する。
【００９５】
一時保留部１４０内に紙幣が所定枚数以上あると判断すると（ステップＳ５６ＹＥＳ）、補充処理を開始する（ステップＳ５８）。一時保留部１４０から鑑別部１５０に紙幣を搬送する（ステップＳ６０）。鑑別部１５０の鑑別結果により、搬送される紙幣がリサイクル使用可であるかを判断する（ステップＳ６２）。搬送される紙幣がリサイクル使用可でないと判断すると（ステップＳ６２ＮＯ）、リサイクル使用可でないと鑑別された紙幣をリジェクト部１５４に格納する（ステップＳ６４）。
【００９６】
紙幣がリサイクル使用可であると判断すると（ステップＳ６２ＹＥＳ）、紙幣を収納部１５２の対応する紙幣カセットに収納する（ステップＳ６６）。ステップＳ６４及びステップＳ６６に続いて，一時保留部１４０に紙幣残有かを判断する（ステップＳ６８）。一時保留部１４０に紙幣残有りと判断すると（ステップＳ６８ＹＥＳ）、ステップＳ５８に戻り、一時保留部１４０から次の紙幣を搬送することを繰り返す。一時保留部１４０に紙幣残なしと判断すると（ステップＳ６８ＮＯ）、一時保留部１４０に充填された紙幣の収納部１５２への搬送が完了したとして、この処理を終了する。
【００９７】
図１９は、ＡＴＭ１００に紙幣がフルまたはニアフルの場合に、収納部１５２から一時保留部１４０へ紙幣を回収する処理の手順を説明するフローチャートである。図１１及び図１５で説明した処理で、金庫部１７０の扉を開錠しなくても、収納部１５２から紙幣を回収できる処理である。
【００９８】
収納部１５２で紙幣がフルまたはニアフルかを判断する（ステップＳ８０）。収納部１５２の何れかの金種に対応する紙幣カセットでフルまたはニアフルであるかを、フル検出センサやニアフル検出センサの出力で判断する。
【００９９】
収納部１５２で紙幣がフルまたはニアフルでないと判断すると（ステップＳ８０ＮＯ）、収納部１５２から紙幣を回収する指示されたかを判断する（ステップＳ８２）。本例では、いずれかの金種でフルやニアフルが検出されれば回収処理を開始し、さらにフルやニアフルの検出がない場合でも、行員からの指示があれば回収処理を行うようにする。
【０１００】
収納部１５２から紙幣を回収する指示されていないと判断すると（ステップＳ８２ＮＯ）、ステップＳ８０に戻る。収納部１５２から紙幣を回収する指示されたと判断する場合（ステップＳ８２ＹＥＳ）、または収納部１５２で紙幣がフルまたはニアフルであると判断する場合（ステップＳ８０ＹＥＳ）には、ステップＳ８４に進む。
【０１０１】
一時保留部１４０内の紙幣が所定枚数以下であるかを判断する（ステップＳ８４）。一時保留部１４０内の紙幣は通常は０である。一時保留部１４０内に紙幣が多数残留していると、収納部１５２からの回収に支障が出るからである。一時保留部１４０内の紙幣が所定枚数以下でないと判断すると（ステップＳ８４ＮＯ）、回収処理を中止して終了する。
【０１０２】
一時保留部１４０内の紙幣が所定枚数以下であると判断すると（ステップＳ８４ＹＥＳ）、収納部１５２から紙幣を回収する処理を開始する（ステップＳ８６）。紙幣が回収される紙幣カセットは、フルまたはニアフル検知された紙幣カセット、あるいはステップＳ８２で、回収指示がされた紙幣カセットである。
【０１０３】
収納部１５２から鑑別部１５０に紙幣が搬送される（ステップＳ８８）。鑑別部１５０の鑑別結果により、搬送される紙幣がリサイクル使用可であるかを判断する（ステップＳ９０）。搬送される紙幣がリサイクル使用可でないと判断すると（ステップＳ９０ＮＯ）、リサイクル使用可でないと鑑別された紙幣をリジェクト部１５４に格納する（ステップＳ９４）。
【０１０４】
紙幣がリサイクル使用可であると判断すると（ステップＳ９０ＹＥＳ）、紙幣を一時保留部１４０へ格納する（ステップＳ９２）。ステップＳ９２及びステップＳ９４に続いて，一時保留部１４０の格納枚数がフルかを判断する（ステップＳ９６）。一時保留部１４０の格納枚数がフルでないと判断すると（ステップＳ９６ＮＯ）、ステップＳ８６に戻り、収納部１５２から次の紙幣を一時保留部１４０に搬送することを繰り返す。
【０１０５】
一時保留部１４０の格納枚数がフル、または、回収した紙幣が所定枚数以上であると判断すると（ステップＳ９６ＹＥＳ）、収納部１５２からの回収を終了する。あわせて、格納された紙幣の種類や枚数を保留部メモリ１４６に記録する。
【０１０６】
続いて、空の一時保留部１４０に交換されたかを判断する（ステップＳ９８）。回収紙幣が格納された状態の一時保留部１４０のままでは、ＡＴＭ１００を通常の取引に使用することができないからである。空の一時保留部１４０に交換されるまで（ステップＳ９８ＮＯ）、ステップＳ９８を繰り返す。空の一時保留部１４０に交換されたと判断すると（ステップＳ９８ＹＥＳ）、回収が完了したとして、回収処理を終了する。
【０１０７】
以上説明した実施形態により少なくとも奏せられる効果を以下に列挙する。
・紙葉類（紙幣）が不足した場合には一時保留部から紙葉類（紙幣）を補充し、紙葉類（紙幣）が一杯になった場合には一時保留部１４０に紙葉類（紙幣）を回収することで、行員が金庫の開閉を行うことができない店舗においても、管理会社の担当者の到着を待たずに、暫定的に紙葉類（現金）取引装置をほぼ継続的に運用することができる。また、一時保留部を利用して補充や回収処理を行うので、紙葉類（現金）取引装置のダウンタイムも短時間で済む。
・紙幣の補充や回収用に一時保留部を利用することで、専用の補充回収装置を設ける必要がなく、現金取引装置のサイズの大型化やコストアップを防止することができる。
・一時保留部１４０を現金取引装置から着脱できる構造にしたことで、予め用意した一時保留部１４０と入替えて運用することができる。これにより、現金取引装置のダウンタイムをより短時間化できる。さらに、ＡＴＭ１００とテラー機２００の一時保留部が互換性を有することで、ＡＴＭ１００とテラー機２００間で紙幣の補充や回収が容易にできるようになる。
【０１０８】
以下に本実施形態の変形例を述べる。
・ＡＴＭ１００とテラー機２００の両方で着脱可能な一時保留部を備えていることを説明したが、いずれか一方だけでもよい。ＡＴＭ１００とテラー機２００のいずれか一方だけで着脱可能な一時保留部を備えていても、補充処理や回収処理は可能である。
・また、補充処理と回収処理は、いずれか一方だけ備えるようにしてもよい。
・上述した説明では、ＡＴＭ１００とテラー機２００で一時保留部は、同一であると説明したが、接続部での互換性があればよく、ＡＴＭ１００用の一時保留部とテラー機２００の一時保留部の外観や機能が、異なっていてもよい。
・一時保留部に保留部メモリを設けなくてもよい。制御部１１０ａが、センサ１４１により紙幣有無を判断してもよい。
・また、一時保留部１４０に開閉可能な蓋を設け、内部に格納された紙幣を取出したり、逆に内部に紙幣を格納できるようにしてもよい。紙幣の回収・補充処理を行う際により便利になる。
【０１０９】
なお、本発明は上述した実施形態そのままに限定されるものではく、実施段階でのその要旨を逸脱しない範囲で構成要素を変形して具体化することができる。また、上記実施形態に開示されている複数の構成要素の適宜な組み合わせにより、種々の発明を形成することができる。例えば、実施形態に示される全構成要素を適宜組み合わせても良い。さらに、異なる実施形態にわたる構成要素を適宜組み合わせてもよい。このような、発明の趣旨を逸脱しない範囲内において種々の変形や応用が可能であることはもちろんである。
【符号の説明】
【０１１０】
１００    ＡＴＭ
１１０，２１０    ＣＰＵ
１１０ａ，２０１ａ    制御部
１１２，２１１    メモリ
１１４，２１４    通信Ｉ／Ｆ
１１６，２１６    表示パネル
１１８，２１８    カードユニット
１２０，２２０    通帳ユニット
１２２，２２２    硬貨ユニット
１３０，２３０    紙幣ユニット
１３２，２３２    投入排出部
１４０    一時保留部
１４１    センサ
１４３    紙幣巻取ローラ
１４４    フィルム
１４５    駆動回路
１４６    保留部メモリ
１５０，２５０    鑑別部
１５２，２５２    収納部
１５４，２５４    リジェクト部
１６０，２６０    搬送部
１６２    ローラ
１６３    センサ
１７０，２７０    金庫部
２００    テラー機
３００    ネットワーク
３１０    ホストコンピュータ
３２０    管理会社
４００    紙幣
【図１】
2015029174.tif 000003
【図２】
2015029174.tif 000004
【図３】
2015029174.tif 000005
【図４】
2015029174.tif 000006
【図５】
2015029174.tif 000007
【図６】
2015029174.tif 000008
【図７】
2015029174.tif 000009
【図８】
2015029174.tif 000010
【図９】
2015029174.tif 000011
【図１０】
2015029174.tif 000012
【図１１】
2015029174.tif 000013
【図１２】
2015029174.tif 000014
【図１３】
2015029174.tif 000015
【図１４】
2015029174.tif 000016
【図１５】
2015029174.tif 000017
【図１６】
2015029174.tif 000018
【図１７】
2015029174.tif 000019
【図１８】
2015029174.tif 000020
【図１９】
2015029174.tif 000021
【手続補正書】
【提出日】平成28年9月23日(2016.9.23)
【手続補正１】
【補正対象書類名】特許請求の範囲
【補正対象項目名】全文
【補正方法】変更
【補正の内容】
【特許請求の範囲】
【請求項１】
利用者による紙葉類の取引に使用される紙葉類取引装置において、
紙葉類が投入される投入部と、
前記投入部に投入された紙葉類を収納する収納部と、
所定枚数の紙葉類を一時的に格納する一時保留部と、
処理内容に応じて前記投入部と前記収納部間で前記紙葉類の搬送を制御する制御部と、を備え
前記一時保留部は、前記紙葉類取引装置に着脱可能に設けられ、該一時保留部のＩＤ番号を記憶するメモリを有し、
前記制御部は、装着された一時保留部を前記メモリのＩＤ番号によって管理し、前記利用者による紙葉類取引の処理においては、前記一時保留部を前記投入部に投入された紙葉類が前記収納部に収納される前に一時的に保留する場所となるよう制御し、前記収納部から前記紙葉類を回収する処理においては、前記一時保留部を前記収納部の紙葉類の少なくとも一部を回収させる場所となるよう制御し、前記収納部へ前記紙葉類を補充する処理においては、前記一時保留部に予め格納されている紙葉類を前記収納部に搬送するよう制御する
ことを特徴とする紙葉類取引装置。
【請求項２】
前記収納部を内部に収納し施錠可能な金庫を備え、
前記一時保留部は、前記金庫の外部に設置される
ことを特徴とする請求項１に記載の紙葉類取引装置。
【請求項３】
前記制御部は、前記ＩＤ番号により前記一時保留部の装着日時を管理する
ことを特徴とする請求項１に記載の紙葉類取引装置。
【請求項４】
前記一時保留部のメモリには、更に該一時保留部に格納された紙幣枚数が記憶され、
前記制御部は、前記メモリに記憶された紙幣枚数に基づき前記一時保留部を管理する
ことを特徴とする請求項１に記載の紙葉類取引装置。
【請求項５】
前記紙葉類取引装置は、主に顧客との取引に用いられるＡＴＭまたは主に行員が取り扱うテラー機での少なくともいずれかである
ことを特徴とする請求項１に記載の紙葉類取引装置。
【請求項６】
前記一時保留部は、前記紙葉類取引装置に着脱可能に設けられ、
前記紙葉類取引装置は、主に顧客との取引に用いられるＡＴＭ及び主に行員が取り扱うテラー機の両方に適用され、前記ＡＴＭ及び前記テラー機にそれぞれ着脱可能に設けられる前記一時保留部は、互換性がある
ことを特徴とする請求項１に記載の紙葉類取引装置。
【請求項７】
請求項６に記載の紙葉類取引装置の運用方法であって、
前記ＡＴＭ及び前記テラー機の紙葉類取引装置でいずれか一方の収納部で紙葉類がフルまたはニアフルになった場合に、前記フルまたはニアフルの前記紙葉類取引装置をフルの紙葉類取引装置とし、前記フルの紙葉類取引装置で前記紙葉類の回収処理を行い、前記回収された紙葉類が格納された一時保留部を外し、フルではない前記紙葉類取引装置に装着して、前記一時保留部に格納された紙葉類を前記フルではない紙葉類取引装置の収納部に移動させる処理を行い、
前記ＡＴＭ及び前記テラー機の紙葉類取引装置でいずれか一方の収納部で紙葉類が不足した場合に、紙葉類不足ではない前記紙葉類取引装置で前記紙葉類の回収処理を行い、前記回収された紙葉類が格納された一時保留部を外し、紙葉類不足の前記紙葉類取引装置に装着して、前記一時保留部で格納された紙葉類を前記紙葉類不足の紙葉類取引装置の収納部に補充する処理を行う
ことを特徴とする紙葉類取引装置の運用方法。
【請求項８】
利用者による紙葉類の取引に使用される紙葉類取引装置に設けられ、前記利用者から前記紙葉類取引装置に入金された紙葉類を収納部に収納する前に一時的に保留する一時保留装置において、
前記紙葉類取引装置には前記収納部を内部に保護する金庫が設けられ、前記一時保留装置は前記金庫外に設置され、かつ前記紙葉類取引装置に対して着脱可能に設けられ、
前記一時保留装置は、該一時保留部のＩＤ番号を記憶するメモリを有する、
ことを特徴とする一時保留装置。
【手続補正２】
【補正対象書類名】明細書
【補正対象項目名】０００８
【補正方法】変更
【補正の内容】
【０００８】
上記目的を達成するために、利用者による紙葉類の取引に使用される紙葉類取引装置において、紙葉類が投入される投入部と、前記投入部に投入された紙葉類を収納する収納部と、所定枚数の紙葉類を一時的に格納する一時保留部と、処理内容に応じて前記投入部と前記収納部間で前記紙葉類の搬送を制御する制御部と、を備え前記一時保留部は、前記紙葉類取引装置に着脱可能に設けられ、該一時保留部のＩＤ番号を記憶するメモリを有し、前記制御部は、装着された一時保留部を前記メモリのＩＤ番号によって管理し、前記利用者による紙葉類取引の処理においては、前記一時保留部を前記投入部に投入された紙葉類が前記収納部に収納される前に一時的に保留する場所となるよう制御し、前記収納部から前記紙葉類を回収する処理においては、前記一時保留部を前記収納部の紙葉類の少なくとも一部を回収させる場所となるよう制御し、前記収納部へ前記紙葉類を補充する処理においては、前記一時保留部に予め格納されている紙葉類を前記収納部に搬送するよう制御する。
【国際調査報告】
2015029174.tif 000022
2015029174.tif 000023